(57)【特許請求の範囲】
【請求項１】
冷蔵庫の冷却空間を水平な仕切壁で上下に仕切る仕切り構造において、
該仕切壁の前端部に露付き防止用の熱源を配し、
該仕切壁の壁面を覆って当該仕切壁との間に冷気流路を形成するダクト部材を配し、
該ダクト部材の前端部から前記仕切壁の前端部を覆って該仕切壁との間に空間を形成する覆い部を延設し、
この空間と前記冷気流路との間を隔壁で遮断した
ことを特徴とする冷蔵庫の仕切り構造。
【請求項２】
前記覆い部と前記仕切壁との間に空気空間を形成した
ことを特徴とする請求項１記載の冷蔵庫の仕切り構造。
【請求項３】
前記覆い部と前記仕切壁との間に断熱材を配した
ことを特徴とする請求項１記載の冷蔵庫の仕切り構造。
【請求項４】
前記覆い部に扉スロート部を塞ぐヒレを設けた
ことを特徴とする請求項１記載の冷蔵庫の仕切り構造。
【請求項５】
前記仕切壁が断熱材の充填された断熱仕切壁であり、この仕切壁により温度帯の異なる２室に仕切られた
ことを特徴とする請求項１記載の冷蔵庫の仕切り構造。
【請求項６】
冷蔵庫の冷却空間の前部に仕切り体を左右方向に架設して、該冷却空間を上下に仕切る冷蔵庫の仕切り構造において、
前記仕切り体が、扉背面のガスケットと当接する前板と、前板の後面に当接配置された露付き防止用の熱源と、熱源の背後に配された断熱材と、断熱材の上下面及び後面を覆う仕切りカバーとを備えてなり、
該仕切り体の上面及び下面の少なくとも一方の水平面を覆い、かつ、扉スロート部を構成する扉背面と当接する覆い部材を設けて、
この覆い部材と前記ガスケットとにより、前記仕切り体の前記水平面の略全体にわたって、庫内循環冷気から遮断された空気空間を形成した
ことを特徴とする冷蔵庫の仕切り構造。
【請求項７】
前記空気空間が前記仕切り体の前記水平面の途中で前後に区画された
ことを特徴とする請求項６記載の冷蔵庫の仕切り構造。
【請求項８】
前記覆い部材が、前記仕切り体の前記水平面の前後方向中央部に取り付けられて、この取付け部から前後に延びるヒレを有し、
前側のヒレが前記扉背面と当接し、後側のヒレが該取付け部から仕切り体の後端まで前記水平面を空気層を挟んで覆う
ことを特徴とする請求項７記載の冷蔵庫の仕切り構造。
【発明の詳細な説明】
【０００１】
【発明の属する技術分野】
本発明は、冷蔵庫の冷却空間を仕切る仕切り構造に関するものである。
【０００２】
【従来の技術】
従来より、冷蔵庫の冷蔵室や冷凍室を上下に仕切る仕切り構造においては、扉のガスケットが当接される仕切部前面の露付きを防止するために、防露パイプやヒータなどの防露用熱源が配されている。
【０００３】
図９は、冷蔵庫の仕切り構造の第１の従来例を示す断面図である。この仕切り構造は、温度帯の異なる２室である冷蔵室１００と冷凍室１０１とを水平な仕切壁１０２で上下に仕切る構造である。仕切壁１０２は、冷蔵庫本体の内箱１０３によって形成され内部に断熱材１０４が充填された仕切壁本体１０５と、その前方に左右方向に架設された仕切り体１０６とからなる。仕切り体１０６は、扉１０７のガスケット１０８と当接する前板１０９と、前板１０９の背後に配された防露パイプ１１０と、防露パイプ１１０の背後に配された断熱材１１１と、断熱材１１１を後方から覆う仕切りカバー１１２とで構成されている。
【０００４】
この構造においては、防露パイプ１１０の背後に断熱材１１１が配されているものの、防露パイプ１１０の熱が前板１０９から仕切りカバー１１２へと伝わって、仕切り体１０６の上下面が温められてしまうことがある。このように仕切り体１０６の上下面が温められると、庫内循環冷気と熱交換して庫内温度が高くなり、冷却性能に影響を与えるといった弊害が生じ、余分な電力を消費してしまう。
【０００５】
また、上記構造では、冷凍室１０１後面の吹き出し口１１３から吹き出された冷気が仕切り体１０６に直接当たるようになっているため、この冷気により仕切り体１０６の熱が奪われて防露性能が低下するといった弊害が生じる場合もある。
【０００６】
これらの弊害を防止するために、図９に示すように、仕切り体１０６の上下面に断熱材１１４を貼り付けているが、その場合、コストアップや作業性の点で問題があり、また、防露性能や省電力化という点でも必ずしも満足し得るものではない。
【０００７】
図１０は、冷蔵庫の仕切り構造の第２の従来例を示す断面図である。この仕切り構造は、冷却空間の前部に仕切り体１２０を左右方向に架設して、冷却空間を上下に仕切る構造であり、仕切り体１２０は、上記従来例と同様、前板１０９と防露パイプ１１０と断熱材１１１と仕切りカバー１１２とで構成されている。
【０００８】
この仕切り構造では、防露パイプ１１０から前板１０９を経て仕切りカバー１１２に伝わる熱による庫内への影響を防ぐため、扉スロート部１２１を塞ぐヒレ１２２を仕切り体１０６の下面に取り付けている。しかしながら、この構造では、仕切り体１０６から庫内側への熱リークを十分に抑制することができず、庫内温度に影響を与えて省電力化が図れないとともに、防露性能も低下してしまう。
【０００９】
【発明が解決しようとする課題】
本発明は、上記の点に鑑みてなされたものであり、仕切り構造の熱源から庫内側への熱のリーク量を低減して、防露性能を向上させるとともに省電力化が図れる冷蔵庫の仕切り構造を提供することを目的とする。
【００１０】
【課題を解決するための手段】
本発明の請求項１の冷蔵庫の仕切り構造は、冷蔵庫の冷却空間を水平な仕切壁で上下に仕切る仕切り構造において、該仕切壁の前端部に露付き防止用の熱源を配し、該仕切壁の壁面を覆って当該仕切壁との間に冷気流路を形成するダクト部材を配し、該ダクト部材の前端部から前記仕切壁の前端部を覆って該仕切壁との間に空間を形成する覆い部を延設し、この空間と前記冷気流路との間を隔壁で遮断したものである。
【００１１】
この仕切り構造であると、防露用熱源からの熱で温められる仕切壁前端部がダクト部材前端の覆い部により覆われて、この覆い部により仕切壁前端部の周りに庫内循環冷気の通る冷気流路から遮断された空間が形成されているので、該熱源から庫内側への熱リーク量を低減して、防露性能を向上させるとともに省電力化が図れる。
【００１２】
上記仕切り構造においては、請求項２のように、覆い部と仕切壁との間に空気空間を形成しても、あるいはまた、請求項３のように、覆い部と仕切壁との間に断熱材を配してもよい。
【００１３】
また、請求項４のように、覆い部に扉スロート部を塞ぐヒレを設けてもよい。この場合、覆い部と仕切壁前端部との間に形成される空間を庫内冷気から完全に遮断して、上記熱源から庫内側への熱リークをより確実に防止することができる。
【００１４】
上記仕切り構造は、請求項５のように、前記仕切壁が断熱材の充填された断熱仕切壁であり、この仕切壁により温度帯の異なる２室に仕切る箇所に採用することが好適である。
【００１５】
本発明の請求項６の冷蔵庫の仕切り構造は、冷蔵庫の冷却空間の前部に仕切り体を左右方向に架設して、該冷却空間を上下に仕切る冷蔵庫の仕切り構造において、前記仕切り体が、扉背面のガスケットと当接する前板と、前板の後面に当接配置された露付き防止用の熱源と、熱源の背後に配された断熱材と、断熱材の上下面及び後面を覆う仕切りカバーとを備えてなり、該仕切り体の上面及び下面の少なくとも一方の水平面を覆い、かつ、扉スロート部を構成する扉背面と当接する覆い部材を設けて、この覆い部材と前記ガスケットとにより、前記仕切り体の前記水平面の略全体にわたって、庫内循環冷気から遮断された空気空間を形成したものである。
【００１６】
この仕切り構造であると、仕切り体の水平面の略全面にわたって庫内循環冷気から遮断された空気空間が形成されているので、防露用熱源から前板を経て仕切りカバーに伝達してきた熱が庫内循環冷気と熱交換されることなく、従って、仕切り体の熱源による庫内温度への影響を抑えて省電力化を図ることができ、また、庫内循環冷気により仕切り体が冷やされるのを防止して防露性能を向上することができる。
【００１７】
この仕切り構造においては、請求項７のように、前記空気空間が前記仕切り体の前記水平面の途中で前後に区画されている場合がある。これにより、空気空間における空気の対流を低減して、断熱効果を高めることができる。
【００１８】
この場合、請求項８のように、前記覆い部材が、前記仕切り体の前記水平面の前後方向中央部に取り付けられて、この取付け部から前後に延びるヒレを有し、前側のヒレが前記扉背面と当接し、後側のヒレが該取付け部から仕切り体の後端まで前記水平面を空気層を挟んで覆うようにしてもよい。
【００１９】
【発明の実施の形態】
以下、実施形態に係る冷蔵庫の仕切り構造について図面に基づいて説明する。
【００２０】
図１は、第１実施形態に係る仕切り構造の縦断面図、図２は、同仕切り構造の前端部を示す拡大断面図、図３は、同仕切り構造の底面から見た斜視図である。
【００２１】
この実施形態の仕切り構造は、図４に示すような冷蔵庫１に採用されるものである。冷蔵庫１は、上から、冷蔵室２、野菜室３、第１冷凍室４、第２冷凍室５を備え、冷蔵室２と野菜室３からなる上側の冷蔵空間と第１及び第２冷凍室４，５からなる下側の冷凍空間とが水平な断熱仕切壁１０で仕切られている。冷蔵室２と野菜室３とは、前面開口部において左右方向に架設された仕切り体６８により上下に仕切られており、同様に、第１冷凍室４と第２冷凍室５との間も、前面開口部において左右方向に架設された仕切り体７０により上下に仕切られている。
【００２２】
第１実施形態は、仕切壁１０により温度帯の異なる冷蔵空間と冷凍空間とを上下に仕切る仕切り構造に関するものであり、以下、この仕切壁１０の構造について詳細に説明する。
【００２３】
仕切壁１０は、全体にわたって断熱材が充填された断熱仕切壁であり、冷蔵庫本体を構成する断熱箱体６により形成された仕切壁本体１２と、この仕切壁本体１２の前端に取り付けられた仕切り体１４とよりなる。
【００２４】
仕切壁本体１２は、断熱箱体６を構成する内箱６ａにより形成された水平な棚状部１６と、この内箱６ａの棚状部１６の内部に充填発泡された硬質ウレタンよりなる断熱材１８とで構成されている。
【００２５】
仕切り体１４は、断熱箱体６の前面開口部において左右方向に架設されており、金属製の前板２０と、前板２０の後面に当接配置された冷却サイクルの一部である防露パイプ２２と、防露パイプ２２の背後に配された発泡スチロール製の断熱材２４と、断熱材２４の上下面及び後面を覆う断面略コ字状の合成樹脂製仕切りカバー２６とを備えてなる。
【００２６】
前板２０は、仕切り体１４の前面部をなして、扉７背面に取り付けられたガスケット８と当接するものであり、上下端部が後方に折曲形成されている。
【００２７】
断熱材２４は、直方体形状をなしている。断熱材２４と防露パイプ２２との間には、前面にアルミテープ２８を備える軟質性の断熱材であるソフトテープ３０が介設されており、該アルミテープ２８により防露パイプ２２の熱がより確実に前板２０に伝達されるようにしている。
【００２８】
仕切りカバー２６は、前面が開口した内側が空洞の直方体状であり、この空洞状の内側に断熱材２４が収納され、前面開口部に前板２０が配されている。
【００２９】
仕切壁１０の下面には、その壁面を覆って仕切壁１０との間に冷気流路３２を形成するダクト部材３４が配されている。ダクト部材３４は、図３に示すように、仕切壁１０の下面を全体にわたって覆う板状の部材であり、仕切壁本体１２を構成する内箱１６の壁面にネジ３６で取付固定されている。
【００３０】
ダクト部材３４の後端部は、冷凍室４の後面に設けられた吹き出し口３８に接続され、該吹き出し口３８からの冷気が冷気流路３２に直接吹き込まれるようになっている。ダクト部材３４には、冷凍室４内に冷気を吹き出す開口４０が複数個設けられている。なお、ダクト部材３４には、不図示のガイドを設けて冷気流路３２内を流れる冷気を各開口４０に導くようにしてもよい。
【００３１】
ダクト部材３４の前端部には、仕切壁１０前端部の仕切り体１４を覆って仕切り体１４との間に空気空間４２を形成する覆い部４４が一体に設けられている。覆い部４４は、仕切り体１４の下面全体を、隙間をあけて覆うように形成されており、この隙間が空気空間４２となっている。
【００３２】
覆い部４４で形成される空気空間４２は、ダクト部材３４に設けた隔壁４６により、その後方の冷気流路３２から遮断されている。隔壁４６は、ダクト部材３４の上面から突出形成された左右方向に延びる突条であり、仕切壁本体１２の下面に当接することにより、冷気流路３２と空気空間４２との間を遮断している。なお、覆い部４４の上面から前後方向に延びる複数の突条（不図示）を形成して、空気空間４２を左右方向に複数の区画に分離し、これにより、空気空間４２との空気の対流を抑制して断熱性を高めることもできる。
【００３３】
覆い部４４の前端部には、ガスケット８周辺から庫内側への熱の侵入を防止するために、扉スロート部４８を構成する扉７背面の凸部５０と当接して当該スロート部４８を塞ぐヒレ５２が取り付けられている。ヒレ５２は、軟質材料で形成されており、覆い部４４の下面に設けられた係止凸部５４に取り付けられている。このように覆い部４４にヒレ５２を取り付けることにより、仕切り体１４の下面の全体にわたって庫内循環冷気から遮断された空気空間４２が形成されている。すなわち、上記空気空間４２は、覆い部４４とヒレ５２と扉背面とガスケット８と仕切り体１４とで区画されて、庫内循環冷気から分離されている。
【００３４】
以上よりなる第１実施形態の仕切り構造であると、防露パイプ２２からの熱により温められた仕切り体１４の下面が全体にわたって覆い部４４により覆われ、この覆い部４４と仕切り体１４との間で形成された空気空間４２が、後方の冷気流路３２から遮断されているので、冷気流路３２を通る庫内循環冷気が仕切り体１４の下面との間で熱交換することを防止することができ、従って、仕切り体１４の熱による庫内冷気への影響をなくして、省電力化を図ることができる。また、空気空間４２が断熱層として作用し、仕切り体１４が庫内循環冷気により冷やされることを防止して、防露性能を向上することができる。
【００３５】
また、この実施形態によれば、覆い部４４に扉スロート部４８を塞ぐヒレ５２を設けて、覆い部４４と仕切り体１４との間に形成される空気空間４２を庫内冷気から完全に遮断していることから、防露パイプ２２から庫内側への熱のリーク量をさらに効果的に低減することができる。
【００３６】
図５は、第２実施形態に係る仕切り構造の要部拡大断面図である。
【００３７】
この実施形態は、覆い部４４と仕切り体１４の下面との間に、空気空間４２を設ける代わりに、断熱材５６を配した点が第１実施形態とは異なる。すなわち、第２実施形態では、覆い部４４と仕切り体１４下面との間に形成された空間に、断熱材５６を充填しており、これにより仕切り体１４の下面を断熱している。
【００３８】
図６は、第３実施形態に係る仕切り構造におけるダクト部材３４の斜視図である。
【００３９】
この実施形態は、ダクト部材３４と製氷室（不図示）の天井板とを一体化した点で第１実施形態と異なる。すなわち、第３実施形態では、製氷皿と該製氷皿を動作させる機械部とを備えてなる自動製氷機５８を、ダクト部材３４の下面に取り付けるように構成している。自動製氷機５８の上面には複数の爪部６０が設けられ、ダクト部材３４にはこの爪部６０が差し込まれる係合孔６２が設けられており、係合孔６２に爪部６０を引っ掛けることにより、自動製氷機５８はダクト部材３４に支持されているようになっている。
【００４０】
このようにダクト部材３４と製氷室天井板とを一体化して部品の共通化を図ることによりコストを低減することができる。
【００４１】
図７は、第４実施形態に係る仕切り構造の断面図であり、図８は、同仕切り構造に用いる覆い部材７２の斜視図である。
【００４２】
この仕切り構造は、図４に示す冷蔵庫１において、第１冷凍室４と第２冷凍室５とを仕切る仕切り構造であり、図７に示すように、前面開口部に仕切り体７０を左右方向に架設してなる。なお、以下に説明する本実施形態の仕切り構造は、冷蔵室２と野菜室３とを仕切る仕切り体６８にも同様に採用することができる。
【００４３】
仕切り体７０は、上記した実施形態と同様に、金属製の前板２０と、前板２０の後面に配した防露パイプ２２と、防露パイプ２２の背後に配した断熱材２４と、断熱材２４の上下面及び後面を覆う仕切りカバー２６とを備えて構成されている。
【００４４】
仕切り体７０の上面及び下面には、これら各面を覆い、かつ、扉スロート部７４を構成する扉７背面の凸部７６と当接する覆い部材７２がぞれぞれ取り付けられている。覆い部材７２は、仕切り体７０の上下面の前後方向中央部に設けた係止凸部７８に取り付けられる取付部８０と、この取付部８０から前方に延び、扉７背面の凸部７６に当接して扉スロート部７４を塞ぐ前ヒレ８２と、取付部８０から後方に延び、該取付部８０から仕切り体７０の後端まで空気層８６ｂを挟んで覆う後ヒレ８４とからなる。
【００４５】
この仕切り構造では、覆い部材７２と扉背面のガスケット８とにより、仕切り体７０の上下面の略全体にわたって、庫内循環冷気から遮断された空気空間８６が形成されている。すなわち、仕切り体７０の上下には、それぞれ、仕切り体７０、覆い部材７２、扉背面及びガスケット８により区画され、庫内冷気から分離された空気空間８６が、仕切り体７０の上下面の前側部分だけでなく後端まで全体にわたって形成されている。
【００４６】
そして、この空気空間８６は、覆い部材７２の左右方向に延びる取付部８０によって、仕切り体７０の上下面の前後方向中央部で、前後に区画されている。詳細には、前側の空気空間８６ａは、前ヒレ８２の前側において該前ヒレ８２と扉背面とガスケット８と仕切り体７０との間で形成されており、後側の空気空間８６ｂは、後ヒレ８４と仕切り体７０との間に挟まれて形成されている。
【００４７】
この実施形態の仕切り構造であると、仕切り体７０の上下面の全体にわたって庫内循環冷気から遮断された空気空間８６を形成したので、防露パイプ２２から前板２０を経て仕切りカバー２６に伝達してきた熱が庫内循環冷気と熱交換するのを防止することができ、従って、仕切り体７０の熱による庫内温度への影響を抑えて省電力化を図ることができる。また、空気空間８６が断熱層として作用し、仕切り体７０が庫内循環冷気により冷やされるのを防止して、防露性能を向上することができる。
【００４８】
しかも、この空気空間８６が前後に区画されていることから、空気空間８６における空気の対流を低減して、断熱効果を高めることができる。
【００４９】
【発明の効果】
本発明の冷蔵庫の仕切り構造であると、仕切り構造の熱源から庫内側への熱のリーク量を低減して、防露性能を向上させるとともに省電力化が図れる。
【図面の簡単な説明】
【図１】本発明の第１実施形態に係る冷蔵庫の仕切り構造の縦断面図である。
【図２】同仕切り構造の拡大断面図である。
【図３】同仕切り構造の斜視図である。
【図４】冷蔵庫の断面図である。
【図５】第２実施形態に係る仕切り構造の要部拡大断面図である。
【図６】第３実施形態に係る仕切り構造の斜視図である。
【図７】第４実施形態に係る仕切り構造の断面図である。
【図８】同実施形態の仕切り構造における覆い部材の斜視図である。
【図９】冷蔵庫の仕切り構造の第１の従来例を示す断面図である。
【図１０】冷蔵庫の仕切り構造の第２の従来例を示す断面図である。
【符号の説明】
１０……仕切壁
１２……仕切壁本体
１４……仕切り体
２２……防露パイプ
３２……冷気流路
３４……ダクト部材
４２……空気空間
４４……覆い部
４６……隔壁
５２……ヒレ
５６……断熱材
７０……仕切り体
７２……覆い部材
８２……前ヒレ
８４……後ヒレ
８６……空気空間
【図１】
0003805163.tif 000002
【図２】
0003805163.tif 000003
【図３】
0003805163.tif 000004
【図４】
0003805163.tif 000005
【図５】
0003805163.tif 000006
【図６】
0003805163.tif 000007
【図７】
0003805163.tif 000008
【図８】
0003805163.tif 000009
【図９】
0003805163.tif 000010
【図１０】
0003805163.tif 000011